(57)【要約】【課題】この発明の目的は、床面等の塵埃を吸引するとともに、床面等の汚れを拭き取って清掃する吸込口体を提供する。【解決手段】吸込口本体と、この吸込口本体の下面に長手方向に沿って設けた清掃体支持部と、この清掃体支持部の前後方向ほぼ中央部に長手方向に沿って取付けた吸水部材と、この吸水部材の前後にこの吸水部材に沿ってそれぞれ配置して前記清掃体支持部に取付けられた前部清掃部材および後部清掃部材と、これらの前部清掃部材の前方ならびに後部清掃部材の後方に各々設けた吸込口とを備えた吸込口体である。【選択図】    図２
2004222961.tif 000002
【特許請求の範囲】
【請求項１】
吸込口本体と、この吸込口本体の下面に長手方向に沿って設けた清掃体支持部と、この清掃体支持部の前後方向ほぼ中央部に長手方向に沿って取付けた吸水部材と、この吸水部材の前後にこの吸水部材に沿ってそれぞれ配置して前記清掃体支持部に取付けた前部清掃部材および後部清掃部材と、これらの前部清掃部材の前方ならびに後部清掃部材の後方に各々設けた吸込口とを備えたことを特徴とする吸込口体。
【請求項２】
前部清掃部材および後部清掃部材は、吸水部材よりもそれぞれ長手方向に長く延びて設けたことを特徴とする請求項１記載の吸込口体。
【請求項３】
前部清掃部材および後部清掃部材により吸水部材の全周を囲むように設けたことを特徴とする請求項１記載の吸込口体。
【請求項４】
吸水部材、前部清掃部材、後部清掃部材は、それぞれ清掃体支持部に着脱自在に取付けたことを特徴とする請求項１〜３の内のいずれか１項記載の吸込口体。
【請求項５】
掃除機本体内の電動送風機の動作により、前記掃除機本体の集塵室に連通された吸込口体から被掃除面の塵埃を空気とともに吸込んで、この吸込んだ塵埃を前記集塵室内に捕捉する電気掃除機において、前記吸込口体に請求項１〜４の内のいずれか１項に記載の吸込口体を用いた電気掃除機。
【発明の詳細な説明】
【０００１】
【発明の属する技術分野】
この発明は、床面等被掃除面の塵埃を空気とともに吸込んで、この吸込んだ塵埃を掃除機本体の集塵室に収容するための電気掃除機などに用いられる吸込口体に関する。
【０００２】
【従来の技術】
例えば、従来の電動掃除機などに使用される吸込口体には、床面等から塵埃を含んだ空気を吸引する際に、床面等が汚れていた場合、この吸込口体により清掃するように考えられたものがある。このような床面等の清掃が可能な吸込口体を使用する電気掃除機には、水分等の液体を塵埃とともに吸引しても内部で処理可能なものや、液体の吸引には対応されていない電気掃除機が存在する。
【０００３】
例えば、前者のように、床面から吸引した液体やゴミ等を溜めることができる集塵容器を掃除機本体に備え、この電気掃除機に用いられる吸込口体の下面には、多数の通気孔を有するスポンジ体を取付けたものがある。このような吸込口体を用いたものは、ゴミの吸引はもとより、スポンジ体に水を含ませて床面を雑巾がけのように磨くことができるとともに、その水分を吸い取って掃除機本体の内部で処理することができる。（例えば、特許文献１参照）
【０００４】
また、図５に示す吸込口体５０のように、ラチェット機構５１により一定角度の範囲で少しづつ回動していくことで床面の清掃が可能な雑巾ロール５２を設け、この雑巾ロール５２の前後に備えたゴムブレードのような２つのガイド部材５３、５４により、床面にあるゴミや汚物などを前方と後方とにそれぞれ配置した主吸込口５５、および補助吸込口５６の近くに集めて吸引するようにしたものが存在する。（例えば、特許文献２参照）
【０００５】
このような従来例の構成においては、前者の場合、床面等の清掃と塵埃の吸引とを行うことができるが、床面等に水分が残ったままとなったり、また水分を床面等から全て吸引できるとしても、この吸引した水分の処理を可能とする集塵容器を掃除機本体等に設ける必要であった。
【０００６】
後者の従来例においては、雑巾ロール５２に水分や洗剤等の液体を含ませた場合には、雑巾ロール５２の前後にあるガイド部材５３，５４の存在により、床面等に残った液体の吸引が完全に行われずに液体が床面等に残ったままとなったり、また液体を全て吸引できるようにするには、その処理を可能とする集塵容器を備えた掃除機本体等とする必要があった。また、雑巾ロール５２に清掃用の液体を含ませなかった場合には、床面等の清掃が不十分となることがあった。
【０００７】
【特許文献１】
特開平０７−５１２０９号公報（第４コラム、図４）
【特許文献２】
実開平０６−３６５５０号公報（第８頁、図２）
【０００８】
【発明が解決しようとする課題】
この発明は、このような欠点に鑑みなされたもので、水分等の液体の吸引に対応していない電気掃除機であっても、床面上等の汚れを水分等の液体により拭き取ることを可能とした吸込口体を提供することにある。
【０００９】
この発明の目的は、吸込口体から水分等の液体の吸引に対応していない電気掃除機であっても、吸込口体に、水分や洗剤を含有させることが可能な部材と水分や洗剤を拭き取ることが可能な部材とを設けて、塵埃の吸引とともに床面等の汚れを拭き取ることを可能にすることである。
【００１０】
【課題を解決するための手段】
上記目的を達成するために、吸込口本体と、この吸込口本体の下面に長手方向に沿って設けた清掃体支持部と、この清掃体支持部の前後方向ほぼ中央部に長手方向に沿って取付けた吸水部材と、この吸水部材の前後にこの吸水部材に沿ってそれぞれ配置して前記清掃体支持部に取付けられた前部清掃部材および後部清掃部材と、これらの前部清掃部材の前方ならびに後部清掃部材の後方に各々設けた吸込口とを備えた吸込口体としたものである。
【００１１】
【発明の実施の形態】
以下、この発明の一つの実施形態を図１から図４を参照して説明する。これらは、この発明を実施した１形態の吸込口体を示すものであるが、これによってこの発明が限定されるものではない。
【００１２】
図１において、この発明の１つの実施形態に係る吸込口体を使用した場合の電気掃除機を示す。１は掃除機本体で、この掃除機本体１は、床面等から空気を吸引しそれに含まれる塵埃を渦流と重力により分離する一般的にはサイクロン方式と呼ばれるもので、両側に設けた一対の車輪２により床面等を移動可能となっている。
【００１３】
この掃除機本体１には、中空のケース体３とこのケース体３の上面開口を覆う開閉自在な蓋体４を有し、ケース体３の中には図示しない電動送風機および蓋体４の下に位置してフィルターおよび集塵容器が配置されている。また、掃除機本体１の前方には塵埃を含んだ空気が流入する吸込口を有する本体接続管５が、後方には電動送風機から出た排気風を外部に放出する排気口６が設けられている。
【００１４】
本体接続管５には、ラセン状のワイヤーを被覆して外周に巻きつけた可撓性のある吸込ホース７の一端部が、本体クランプ装置８により着脱可能に接続され、この吸込ホース７の他端部には手元操作部９を取付けられている。この手元操作部９は、操作回路が内蔵され操作ボタン１０により電動送風機を制御することが可能となっている。さらにこの手元操作部９には、２本の管により伸縮可能に形成された延長管１１の一端部が挿脱可能に嵌合し、この延長管１１の反対側の他端部１２には、後述する吸込口体１３の端部が挿脱可能に嵌合して取付けられている。
【００１５】
これらの吸込ホース７と延長管１１とのそれぞれの両端部、および延長管１１の端部と接続される吸込口体１３の端部には、これらが互いに接続される場合の接続管を構成している。
【００１６】
このような電気掃除機は、手元操作部９にある操作ボタン１０の操作によって電力を供給することにより、掃除機本体１の電動送風機が駆動され吸込口体１３から塵埃を含んだ空気の吸引を開始する。この空気流はさらに延長管１１を通過し吸込ホース７を経由して掃除機本体１の内部に吸引され、集塵室でのサイクロン方式により図示しない集塵容器内に塵埃のみが蓄積されて、清浄化された空気のみが掃除機本体１の排気口６から放出される。
【００１７】
次に、図２、図３により吸込口体１３について説明する。１５は吸込口本体で、その一端部に有する接続管１６は前記延長管１１の他端部１２に挿脱可能に接続されている。接続管１６の一端は中間パイプ１７と嵌合し、この中間パイプ１７の他端外周には、球面上の摺動面１８が成形されている。またこの摺動面１８には、上下方向から互いに接合した上ケース１９と下ケース２０との端部が回動自在となって取付けられている。これらの上ケース１９と下ケース２０は、その接合面にバンパー２１が挟持されネジ２２により固定される。バンパー２１は、吸込口体１３が家具等に衝突した際の緩衝材となる。
【００１８】
吸込口本体１５の前端と後端には、前輪２３と後輪２４とがそれぞれ左右に２個所づつ回転自在に設けられ、移動が容易に行われるようになっている。
【００１９】
２５は、吸込口本体１５の下ケース２０にある両側壁２６に取付けされた清掃体支持部で、下ケース２０の下面に沿って吸込口本体１５の進行方向に対し直角となる長手方向に沿った細長い形状となっている。また、この清掃体支持部２５は、矢印Ａの上下方向に移動可能となっており、鎖線および実線で示す上端または下端のいずれかの位置で選択的に保持可能となっている。また、この清掃体支持部２５は４つの仕切壁２８により仕切られて、長手方向に沿って細長い中央収容部２９およびこの中央収納部２９の前後に沿って２つの側部収容部３０からなる３つの収容部が設けられている。これら４つの仕切壁２８のそれぞれ内側には、長手方向に一列となった支持突起３１が多数設けられている。
【００２０】
実施例の清掃体支持部２５は、吸込口本体１５と別体に作って下ケース２０に上下動可能に取付けたが、プラスチックを素材とする下ケース２０または上ケース１９と一体的に成形して設けることも可能である。この場合には、清掃体支持部２５は矢印Ａの上下方向に移動可能に設けることは困難である。
【００２１】
この清掃体支持部２５が、下ケース２０の開口部中央に設けられていることで、清掃体支持部２５の前方および後方には長手方向に細長い吸込口３２が形成される。清掃体支持部２５の前後方向のほぼ中央収納部２９には、細長いスポンジ体などの吸水性または保水性を有する吸水部材３３が支持突起３１により着脱可能に取付けられている。また、２つの側部収納部３０には、綿布、人造紙、ポリウレタンなどからなる前部清掃部材３４および後部清掃部材３５が、支持突起３１によりそれぞれ着脱可能に取付けられている。この２つの清掃部材３４，３５は、吸水部材３３よりも長手方向の両端の長さがそれぞれ長くなるような寸法となっている。
【００２２】
清掃体支持部２５が、実線で示す下端位置で固定された場合の吸込口体１３における各部位の高さは、吸水部材３３および前部清掃部材３４ならびに後部清掃部材３５の下面が床面等に接する必要性があることから最も低い位置となり、次に前輪２３および後輪２４の下端が低い位置となり、吸込口体本体１５の一部を形成している下ケース２０の下端が最も高い位置となっている。
【００２３】
清掃体支持部２５を上方に移動して、鎖線で示した上端位置を選択して固定された場合には、前輪２３，後輪２４の下端部が最も低い位置となり、次に吸込口３２を有する下ケース２０の下端が低い位置となり、吸水部材３３および２つの清掃部材３４、３５の下面は、床面等の清掃面に接触しない最も高い位置に上昇した状態で保持される。
【００２４】
なお、清掃体支持部２５を３つに分割し、それぞれ切離した１つの中央収納部２９および２つの側部収納部３０を有する清掃体支持部とし、これらの３つの独立した収納部にそれぞれ吸水部材３３、前部清掃部材３４および後部清掃部材３５を収納し、それぞれを下ケース２０または上ケース１９に一体的に構成したり、別々に取付けるようにすることもできる。また、３つの収納部は、硬質の素材からなる吸水部材および清掃部材を用いることにより、それぞれ同一材料で一体的に構成することもできる。さらに清掃体支持部２５は、吸水部材３３、清掃部材３４，３５を内部に収納するものでなく、これらをそれぞれ固定する３つの部材からなる清掃体支持部であっても良いものである。
【００２５】
次に図４により他の実施例について、図３のそれぞれと比較して異なる点を説明する。清掃体支持部２５における中央収納部２９および吸水部材３３は図３と同様であるが、側部収納部３７および前部清掃部材３８ならびに後部清掃部材３９が図３と異なっている。すなわち、側部収納部３７は中央収納部２９の全周囲を取囲むように設けられており、このため前部清掃部材３８ならびに後部清掃部材３９は吸水部材３３の全周を取囲んで配置されるように取付けられる。この場合、前部清掃部材３８と後部清掃部材３９とは一体的な１個の清掃部材となる。
【００２６】
吸込口体本体１５に取付けられた吸水部材３３は、スポンジ体のように吸水性を有するものを使用し、水や洗剤等の液体や粉末を吸い込ませておくことにより、床面等の清掃面の汚れを落とすことができる。しかし、そのままでは、吸水部材３３から液体や粉末が洩れて床面等に付着したままとなって残留し、その後の床面等の利用に支障を生じたり悪影響を及ぼすことが考えられる。また、吸水部材３３から洩れた液体を塵埃とともに吸引することにより、延長管１１や吸込ホース７の寿命を著しく短くしたり、掃除機本体１の集塵室等の内部に致命的な影響を与えることが考えられる。
【００２７】
これを防止するため、吸水部材３３に近接して配置した綿布などからなる前部清掃部材３４、３８または後部清掃部材３５、３９により、吸水部材３３から洩れた液体や乾燥した粉末を拭き取ってやることで、これらの悪影響を予防することができる。
【００２８】
清掃体支持部２５に収納される各部材および吸込口３２の長手方向の長さ比較では、吸水部材３３の長さが最も短く、次に前部清掃部材３４および後部清掃部材３５が長くなり、吸込口３２が最も長くなっている。
【００２９】
次に、図２および図３を参照して、床面等の清掃作業が行われる状態について説明する。清掃体支持部２５に有する吸水部材３３に適宜な補給手段により水または洗剤を含浸させて、清掃体支持部２５を吸込口体１３の実線で示した下端位置に固定した状態とする。
【００３０】
図示していない電源スイッチにより、掃除機本体１の電動送風機を駆動して使用可能とし、手元操作部９を手に持って吸込口体１３を移動させ、床面等の表面上を前進または後退させる。これにより床面等の塵埃は、前後の吸込口本体１５から吸引され延長管１１および吸込ホース７を経由して掃除機本体１の集塵室に収容される。
【００３１】
一方、この吸込口本体１５が床面等に接触しながら移動する際に、床面等に付着していた汚れは、吸水部材３３に含有している水分や洗剤により溶解されたりして拭き取られる。この際、拭き取られずに床面等に残った水分や洗剤または一部の汚れは、前部清掃部材３４または後部清掃部材３５によりほとんど残らず拭き取られることになる。
【００３２】
この場合、図３で示すとおり吸水部材３３よりもその前後にある前部清掃部材３４、後部清掃部材３５の長手方向の寸法が長いために、吸込口体１３を多少斜めに走行させたとしても拭き取り洩れが生じる可能性は少ない。しかし、より完全にするためには、図４のように吸水部材３３の全周を包囲する前部および後部の清掃部材３８、３９を使用することにより、ほとんどの拭き取り洩れを防止することができる。
【００３３】
一方、床面等に汚れが無い場合などでは、床面等の塵埃のみを吸引すれば良く清掃が不要であるため、清掃体支持部２５を鎖線で示す位置まで上昇させて固定し吸込口体１３を使用することができ、これにより一層塵埃の吸引効果を増すことが可能となる。
【００３４】
【発明の効果】
以上説明してきたように、吸込口体により床面等にある塵埃を吸引するとともに、床面等の汚れを拭き取って良好に清掃することができる。
【００３５】
【図面の簡単な説明】
【図１】本発明の１実施例を示す吸込口体を使用した電気掃除機の全体斜視図である。
【図２】図１に示した吸込口体の断面図である。
【図３】図２の吸込口体の下面にある吸込口側から見た平面図である。
【図４】本発明の他の実施例を示し、吸込口体の下面にある吸込口側から見た平面図である。
【図５】従来の吸込口体の１例を示す断面図である。
【符号の説明】
１  …掃除機本体
７  …吸込ホース
１１…延長管
１３…吸込口体
１５…吸込口本体
１９…上ケース
２０…下ケース
２５…清掃体支持部
２９…中央収納部
３０、３７…側部収納部
３３…吸水部材
３４、３８…前部清掃部材
３５、３９…後部清掃部材
【図１】
2004222961.tif 000003
【図２】
2004222961.tif 000004
【図３】
2004222961.tif 000005
【図４】
2004222961.tif 000006
【図５】
2004222961.tif 000007